(57)【要約】【目的】馳締タイプの折板屋根において、台風又は強風による負圧に対する耐久性において極めて優れたものにできる馳締用吊子とすること。【構成】幅方向に円弧状に膨出する円弧状舌片１１を有する舌片部１と、該円弧状舌片１１の下端に形成された垂直状の首部２と、該首部２の下端に形成された台座部３とからなると共にそれぞれは長手方向を同一長さとなるように延長された吊子本体Ａと、該吊子本体Ａに装着される係止突出部４とからなること。該係止突出部４は、前記円弧状舌片１１の下端位置付近から該円弧状舌片１１の膨出方向に沿って突出するように形成されると共に長手方向に沿って延長されること。【選択図】      図１
2014214428.tif 000002
【特許請求の範囲】
【請求項１】
幅方向に円弧状に膨出する円弧状舌片を有する舌片部と、該円弧状舌片の下端に形成された垂直状の首部と、該首部の下端に形成された台座部とからなると共にそれぞれは長手方向を同一長さとなるように延長された吊子本体と、該吊子本体に装着される係止突出部とからなり、該係止突出部は、前記円弧状舌片の下端位置付近から該円弧状舌片の膨出方向に沿って突出するように形成されると共に長手方向に沿って延長されてなることを特徴とする馳締用吊子。
【請求項２】
請求項１において、前記係止突出部は、前記首部の上下方向に沿って配置される立上り部を有し、該立上り部が前記首部に固着されてなることを特徴とする馳締用吊子。
【請求項３】
請求項１において、前記係止突出部は、前記首部の上下方向に沿って配置される立上り部と、前記台座部に載置される座板部を有し、該座板部が前記台座部に固着されてなることを特徴とする馳締用吊子。
【請求項４】
請求項１，２又は３のいずれか１項の記載において、前記係止突出部の長手方向は、前記舌片部と同一長さとしてなることを特徴とする馳締用吊子。
【請求項５】
請求項１，２，３又は４のいずれか１項の記載において、前記係止突出部は前記首部に対して直角に突出してなることを特徴とする馳締用吊子。
【発明の詳細な説明】
【技術分野】
【０００１】
本発明は、馳締タイプの折板屋根において、台風又は強風による負圧に対する耐久性において極めて優れたものにできる馳締用吊子に関する。
【背景技術】
【０００２】
従来、金属製の馳締タイプの折板屋根板から構成される折板屋根（壁も含む）が多く施工されている。このような折板屋根を構成する折板屋根板は、一般に谷状部の幅方向両側に傾斜状の立上り部が形成され、幅方向一方側に下馳部を、他方側に上締部がそれぞれ形成されたものである。そして、その折板屋根板を複数並設し、隣接する折板屋根板同士の下馳部と上馳部とを吊子を介して重合しつつ馳締し、吊子は受金具に装着されて、折板屋根が施工される。
【０００３】
このような馳締タイプの折板屋根では、台風又は強風等のときに、大きな負圧が折板屋根に作用する。そのために、屋根を構成する折板屋根板は、前述の負圧によって、馳締部分が拡がるように変形して締付力及び抵抗性が弱くなる。やがて、折板屋根から折板屋根板が剥がれ出し、ほとんどの折板屋根板が連鎖的に吹き飛ばされ、屋根が破壊されることになる。
【先行技術文献】
【特許文献】
【０００４】
【特許文献１】特開２０００−３２８７２７号公報
【発明の開示】
【発明が解決しようとする課題】
【０００５】
このように、馳締タイプの折板屋根では、台風又は強風等による大きな負圧に対する耐性を有するために、種々の吊子が開発されており、その一例として特許文献１が存在する。この特許文献１では、吊子の長手方向に交差する方向に伸びる屈曲部（補強リブ）が形成されたものである。
【０００６】
特許文献１では、屈曲部（補強リブ）が形成されることにより、吊子自体の強度が向上し、これによって、吊子を介して装着する折板屋根材も強固な固定にすることを実現しようとするものである。
【０００７】
ところで、馳締タイプの折板屋根板の下馳部と上馳部には、大きく分けて２種類が存在し、その一つは、特許文献１に開示されているような角馳タイプのものであり、そしてもう一つは丸馳タイプのものである。そして丸馳タイプの折板屋根板では、下馳部及び上馳部には円弧状の屈曲部分によって構成されており、その円弧状部分は、ほとんどが略半円形状のものである。
【０００８】
このような丸馳タイプの折板屋根板に対応する吊子の馳締屈曲片分も円弧状部分にて構成されており、一般的には吊子の馳締屈曲片分は、折板屋根板の上馳部と略同等形状である。つまり、吊子の馳締屈曲片は略半円形状の部分によって構成されている。
【０００９】
例えば、前述したように、角馳タイプであるならば、折板屋根板の上馳部と、吊子の馳締屈曲片同士が係止合しあい、相互に強固に固定することができる。しかし、丸馳タイプの折板屋根板では、吊子の馳締屈曲片の半円部分と、折板屋根板の上馳部の半円部分とが重合した場合に、互いに弧状面同士のために、相互に強力に引っ掛かり合うことができないものである。
【００１０】
そのために、特許文献１に開示された技術内容では丸馳タイプの折板屋根板に適用すると、折板屋根板と吊子とは強力な係止状態になり得ないものである。本発明の目的は、特に丸馳タイプの折板屋根において、負圧に対する耐久性を極めて優れたものにできる馳締用吊子を提供することにある。
【課題を解決するための手段】
【００１１】
そこで、発明者は上記課題を解決すべく、鋭意，研究を重ねた結果、請求項１の発明を、幅方向に円弧状に膨出する円弧状舌片を有する舌片部と、該円弧状舌片の下端に形成された垂直状の首部と、該首部の下端に形成された台座部とからなると共にそれぞれは長手方向を同一長さとなるように延長された吊子本体と、該吊子本体に装着される係止突出部とからなり、該係止突出部は、前記円弧状舌片の下端位置付近から該円弧状舌片の膨出方向に沿って突出するように形成されると共に長手方向に沿って延長されてなる馳締用吊子としたことにより、上記課題を解決した。
【００１２】
請求項２の発明を、請求項１において、前記係止突出部は、前記首部の上下方向に沿って配置される立上り部を有し、該立上り部が前記首部に固着されてなる馳締用吊子としたことにより、上記課題を解決した。請求項３の発明を、請求項１において、前記係止突出部は、前記首部の上下方向に沿って配置される立上り部と、前記台座部に載置される座板部を有し、該座板部が前記台座部に固着されてなる馳締用吊子としたことにより、上記課題を解決した。
【００１３】
請求項４の発明を、請求項１，２又は３のいずれか１項の記載において、前記係止突出部の長手方向は、前記舌片部と同一長さとしてなる馳締用吊子としたことにより、上記課題を解決した。請求項５の発明を、請求項１，２，３又は４のいずれか１項の記載において、前記係止突出部は前記首部に対して直角に突出してなる馳締用吊子としたことにより、上記課題を解決した。
【発明の効果】
【００１４】
請求項１の発明では、丸馳タイプの折板屋根において、馳締用吊子は係止突出部を有しており、該馳締用吊子によって、支持固定された折板屋根板の上馳部の根本部は、前記係止突出部によって、係止される構成となる。これによって、本発明の馳締用吊子を介して母屋，胴縁等の構造材に支持された折板屋根板は、特に馳締部において馳締用吊子にて強固に固定され、台風又は強風による負圧に対しても吹き飛ばされることなく十分な耐久性を有するものにできる。
【００１５】
請求項２の発明では、前記係止突出部は、前記首部の上下方向に沿って配置される立上り部を有し、該立上り部が前記首部に固着される構成としたので、馳締用吊子の構造を極めて簡単な構成にすることができる。請求項３では、前記係止突出部は、前記首部の上下方向に沿って配置される立上り部と前記台座部に載置される座板部を有し、該座板部が前記台座部に固着される構成としたので、立上り部と首部及び座板部と台座部とがそれぞれ重合することとなり、これによって馳締用吊子を極めて強固な構造にすることができる。
【００１６】
請求項４の発明では、係止突出部の長手方向は、前記舌片部と同一長さとしたことにより、折板屋根板の上馳部の変形を最小限に抑えることができる。請求項５の発明では、係止突出部は前記首部に対して直角に突出する構成としたことにより、上馳部に負担をかけず、折板屋根が吹き飛ばされることを防止できる。
【図面の簡単な説明】
【００１７】
【図１】（Ａ）は本発明の馳締用吊子を使用した馳締タイプの折板屋根の要部の正面拡大断面図、（Ｂ）は本発明の馳締用吊子の斜視図、（Ｃ）は（Ｂ）のＹ1−Ｙ1矢視拡大断面図、（Ｄ）は（Ｂ）のＹ2−Ｙ2矢視断面図である。
【図２】本発明の馳締用吊子の舌片部と折板屋根板の下馳部と上馳部との馳締部における構造の拡大断面図である。
【図３】（Ａ）乃至（Ｃ）は折板屋根板に強風又は台風による負圧が掛ったときの馳締用吊子の係止突出部と上馳部の根本部との係止状態の変化を示す要部拡大断面図、（Ｄ）は（Ａ）の（ア）部拡大図、（Ｅ）は（Ｂ）の（イ）部拡大図、（Ｆ）は（Ｃ）の（ウ）部拡大図である。
【図４】（Ａ）は本発明の吊子を使用した馳締タイプの折板屋根の側面略示図、（Ｂ）は（Ａ）の（エ）部の一部切除した拡大図、（Ｃ）は（Ｂ）のＹ3−Ｙ3矢視の一部切除しない拡大断面図である。
【図５】（Ａ）は本発明の第２実施形態の縦断正面図、（Ｂ）は本発明の第３実施形態の縦断正面図、（Ｃ）は（Ｂ）の（オ）部拡大図、（Ｄ）は本発明の第４実施形態の縦断正面図、（Ｅ）は（Ｂ）の（カ）部拡大図である。
【図６】本発明の馳締用吊子を使用した馳締タイプの折板屋根の略示正面図である。
【発明を実施するための形態】
【００１８】
以下、本発明の実施形態を図面に基づいて説明する。本発明における馳締用吊子は、図１に示すように、吊子本体Ａと係止部材Ｂとから構成される。吊子本体Ａは、円弧状に膨出する円弧状舌片１１を有する舌片部１と、該円弧状舌片１１の下端に形成された垂直状の首部２と、該首部２の下端に形成された台座部３とからなる〔図１(Ｂ)乃至（Ｄ）参照〕。舌片部１，首部２及び台座部３は、それぞれ長手方向を同一長さとなるように延長形成される。
【００１９】
ここで、本発明の馳締用吊子の吊子本体Ａと係止部材Ｂにおける構成の説明では、方向を示すため幅方向及び長手方向が使用される。その長手方向とは、本発明を馳締タイプの折板屋根板に使用した状態で、折板屋根板の長手方向に沿う方向であり、また幅方向とは該折板屋根板の幅方向に沿う方向のことである。また、前述した延長とは、所定の方向において、適宜に長く延びるようにして形成されることをいう。
【００２０】
本発明の馳締用吊子は、馳締タイプの折板屋根を構成する折板屋根板と共に使用されるものであり、通常は、折板屋根に装着された状態で、吊子本体Ａにおいては舌片部１が上方で台座部３が下方となる〔図１（Ａ）参照〕。ただし、本発明において、馳締タイプの折板屋根９の構成を略垂直面として、そのまま壁体として使用することもあり、この場合には、馳締用吊子は舌片部１が上方に位置し、台座部３が下方にするとは限らない。
【００２１】
舌片部１は、円弧状舌片１１と舌先端片１２とから構成される。円弧状舌片１１は、略半円形状に形成され、幅方向に半円形状に膨出する〔図１（Ｂ），（Ｃ）参照〕。また、円弧状舌片１１の半円形状には略真円及び略楕円等の半円も含まれる。そして、円弧状舌片１１の上端より略水平状に舌先端片１２が形成される〔図１(Ｃ)参照〕。
【００２２】
該舌先端片１２は、前記円弧状舌片１１の上端から略水平且つ平坦な面として形成され、さらに舌先端片１２の先端部分は下方側に円弧状に折り返し形成された端縁１２ａが形成されることもある〔図１（Ｂ），（Ｃ）参照〕。このような構成とした舌片部１は、長手方向において延長形成されている。
【００２３】
つまり、長手方向において長尺な部材として形成されたものである〔図１(Ｂ)，（Ｄ）参照〕。この舌片部１の長手方向における長さは、通常の吊子の舌片の長さよりも、長く約２倍程度又はそれ以上の長さとなっているが、必ずしもこの構成に限定されることはない。
【００２４】
次に、前記舌片部１の円弧状舌片１１の下端の位置から首部２が形成されている。首部２は、垂直状の板片として形成されたもので、側面（長手方向に沿う面）の形状は、略長方形状に形成されている〔図１(Ｄ)参照〕。首部２は、前記舌片部１と一体形成されたものである。そして、舌片部１はその長手方向が前記舌片部１の長手方向と同一（略同一も含む）長さとなるように延長形成されている。
【００２５】
前記首部２の下端には、台座部３が形成されている。該台座部３は、首部２に対して直角となるように形成される。また、台座部３は舌片部１の円弧状舌片１１の膨出方向と同一方向となるように前記首部２の下端から直角状に突出形成されたものである〔図１（Ｂ），（Ｃ）参照〕。
【００２６】
台座部３は、座板３１と、長辺立上り側板３２及び短辺立上り側板３３とから構成されている。座板３１は、長方形に形成され幅方向が短辺で、長手方向が長片である〔図１(Ｂ)参照〕。前記首部２は、前記座板３１の幅方向一方の長辺に連続形成され、座板３１の幅方向反対側の長辺に長辺立上り側板３２が形成される。
【００２７】
また、座板３１の長手方向両端の短辺に短辺立上り側板３３，３３が形成されている。そして、長辺立上り側板３２と短辺立上り側板３３とによって、台座部３は上面が開放された開口を有する扁平筐体として構成されたものである〔図１(Ｂ)，（Ｃ）参照〕。前記座板３１には、ボルト貫通孔３４が形成されている。台座部３は、舌片部１及び首部２と長手方向において略同等の長さに延長形成されている。
【００２８】
次に、係止部材Ｂは、係止突出部４，立上り部５及び底板部６とからなる。係止突出部４は、長手方向に沿って略帯板形状に形成され、且つ略水平状としたものである。そして、前記舌片部１の円弧状舌片１１の下端位置付近から該円弧状舌片１１の膨出方向に沿って突出するように形成される〔図１(Ｃ)参照〕。
【００２９】
係止突出部４は、その幅方向において、前記円弧状舌片１１の幅方向における膨出部分よりも内方側に収まるように形成され、具体的には、係止突出部４は、円弧状舌片１１の下端の付根付近に位置するように固定されている〔図１(Ｃ)参照〕。
【００３０】
さらに、係止突出部４の突出量は、前記円弧状舌片１１の下端位置に対して僅かな量の突出であり、具体的には円弧状舌片１１の幅方向における膨出量の略半分程度又は略半分以下である〔図１（Ｃ）参照〕。また、係止突出部４は、前述したように水平状平坦面であり、前記舌片部１の長手方向に沿って延長形成され、該舌片部１又は首部２とは同一（略同一も含む）長さに形成される〔図１(Ｄ)参照〕。
【００３１】
係止突出部４には、その幅方向一端に立上り部５が前記止突出部４に対して直角状に形成される。また、立上り部５の下端には、底板部６が前記立上り部５に対して直角に形成される〔図１(Ｃ)参照〕。立上り部５は、首部２と略同等の高さに形成されており、吊子本体Ａの首部２に当接（略当接も含む）又は近接するようにして配置される〔図１(Ｃ)参照〕。
【００３２】
前記底板部６は、前記台座部３の座板３１上に載置され、溶接又はリベット等の固着手段によって固着される。また、底板部６には、ボルト貫通孔６１が形成されている。該ボルト貫通孔６１は、前記吊子本体Ａの台座部３に底板部６を設置したときに、前記台座部３のボルト貫通孔３４と同等位置となるように形成されており、後述する受具８１及び座金７２等と、馳締用吊子とをボルト７２によって連結固定するものである。
【００３３】
また、本発明の第２実施形態として、係止部材Ｂは、係止突出部４と立上り部５とのみから構成される実施形態も存在する〔図５（Ａ）参照〕。この実施形態では、係止部材Ｂの立上り部５を吊子本体Ａの首部２に当接させて溶接又はリベット等の固着手段によって固着するものである。
【００３４】
本発明の第３実施形態としては、係止部材Ｂは係止突出部４のみから構成される実施形態も存在する〔図５(Ｂ)，（Ｃ）参照〕。この実施形態では、帯板状の係止突出部４が吊子本体Ａの円弧状舌片１１の下端付根付近或いは首部２の円弧状舌片１１の膨出側と同一側の上端に溶接等の固着手段にて固着される。本発明の第４実施形態では、前記係止突出部が吊子本体Ａとの付根から突出方向に向かって水平に対して微小角度θのみ下向き傾斜したものである〔図５(Ｄ)，（Ｅ）参照〕。
【００３５】
次に、折板屋根Ｃを構成する板折板屋根板９は、図１（Ａ），図２，図４，図６等に示すように、主板９１の幅方向両側より立上り側部９２，９２が形成され、両立上り側部９２，９２の両端より頂部９３，９３が形成され、該頂部９３，９３の一方の端から下馳首部９３ａを介して丸馳タイプの下馳部９４が形成され，他方の頂部９３の端から上馳首部９３ｂを介して丸馳タイプの上馳部９５が形成されている〔図１（Ａ）参照〕。
【００３６】
下馳部９４と上馳部９５とは、前記舌片部１の円弧状舌片１１と同様の円弧形状に形成される部分を有している。前記折板屋根板９は、金属製であり、具体的には金属板からロール成形等によって成形されたものである。
【００３７】
そして、このような折板屋根板９，９…を複数並設し、隣接する折板屋根板９，９ 同士の下馳部９４と上馳部９５との間に本発明の馳締用吊子を配置し、舌片部１の内周側に下馳部９４を配置し、舌片部１の外周側に上馳部９５を配置し、吊子本体部Ａの舌片部１と、前記下馳部９４及び前記上馳部９５とを馳締機等を使用して馳締を行い馳締タイプの屋根を施工する。
【００３８】
図６において、符号８１は受具であって、該受具８１の頂部に本発明の馳締用吊子が座金７１及びボルト７２を介して固着される。前記受具８１は、母屋，胴縁等の構造材８２に固着される。
【００３９】
次に、本発明の馳締用吊子における作用について説明する。まず、本発明の馳締用吊子によって、複数並設された折板屋根板９，９…における隣接する折板屋根板９，９の下馳部９４と上馳部９５とを馳締した馳締部Ｊの構成が図１（Ａ），図２及び図３に示されている。この馳締部Ｊでは、舌片部１の円弧状舌片１１と、上馳部９５の上馳円弧状部９５ａとが重合する構成となる〔図１（Ａ），図２，図３（Ｃ）参照〕。
【００４０】
本発明の馳締用吊子と、隣接する折板屋根板９，９の下馳部９４と上馳部９５との馳締の構成において、該上馳部９５の根本部９５ｂは、前記係止部材Ｂの係止突出部４の先端と当接状態で係止される（図２，図３参照）。ここで、根本部９５ｂとは、上馳部９５の下端位置で、具体的には前記上馳首部９３ｂの上端の直近となる位置の部位である〔図１（Ａ）参照〕。そして、前述した状態において、係止突出部４が上馳部９５の根本部９５ｂを下方に押え付けるようにして係止する状態となる。
【００４１】
折板屋根Ｃに、台風又は強風等によって発生する負圧がかかると、折板屋根板９，９…には、上方に持ち上げられるような負圧力Ｆｒがかかる。そして、該負圧力Ｆｒによって、折板屋根板９が上方に持ち上げられるように移動しようとすると、折板屋根板９の立上り側部９２，上馳部９５が共に上方に移動させられる。
【００４２】
図３（Ａ）乃至（Ｃ）は、負圧力Ｆｒによって、折板屋根板９と共に立上り側部９２，上馳部９５が次第に上方に移動する動作が示されている。また、図３（Ｄ）乃至（Ｆ）は、図３（Ａ）乃至（Ｃ）における係止突出部４と上馳部９５の根本部９５ｂとの係止状態の変化を示した要部の拡大図である。
【００４３】
前記負圧力Ｆｒによって、上昇する上馳部９５の根本部９５ｂと、係止部材Ｂの係止突出部４との当接力が増加することによって、係止突出部４には負圧力Ｆｒに対向する反力Ｆｄが生じる。この反力Ｆｄは、係止突出部４の先端が上馳部９５の根本部９５ｂを押さえる力として作用し、立上り側部９２の上方移動に対して、上馳部９５の根本部９５ｂに応力が集中的に作用し、根本部９５ｂ自体が変形することになる〔図３（Ｂ）乃至（Ｅ）参照〕。
【００４４】
さらに、上馳部９５の根本部９５ｂには、負圧力Ｆｒと反力Ｆｄとによって、変形が進み、係止突出部４の下面側により一層深く食い込むこととなる〔図３（Ｃ），（Ｆ）参照〕。このように、係止突出部４によって上馳部９５の根本部９５ｂは、係止突出部４の反力Ｆｄによって下方側に押え付けられる状態となり、折板屋根板９の負圧力Ｆｒによる上昇移動を抑え、折板屋根板９が台風又は強風によって吹き飛ばされることを防止し、耐久性に優れた折板屋根にすることができる。
【００４５】
なお、負圧力Ｆｒ及び反力Ｆｄは、実際には分布荷重として作用するため、図３（Ａ），（Ｂ），（Ｃ），図４（Ｂ），（Ｃ）等では、荷重を示す矢印を分布荷重として示しているが、負圧力Ｆｒと反力Ｆｄとの関係を理解し易くするため、図３（Ｄ），（Ｅ），（Ｆ）では荷重を示す矢印を集中荷重として描き、図４（Ｃ）では、荷重を示す矢印を分布荷重と集中荷重の両方によって描いた。
【００４６】
本発明の馳締用吊子では、舌片部１と共に係止突出部４を長手方向に沿って延長形成したものである。特に、係止突出部４の長手方向は、前記舌片部１と同一長さとすることにより、係止突出部４と上馳部９５の根本部９５ｂとの当接状態は、長手方向に延長する面接触状態となる〔図４（Ａ），（Ｂ）参照〕。
【００４７】
これによって、係止突出部４は、その長手方向の長さの分だけ、上馳部９５の根本部９５ｂに対して、反力Ｆｄを略等分布荷重にすることができる。したがって、上馳部９５の根本部９５ｂには、係止突出部４による反力Ｆｄの集中的な荷重がかからないようにすると共に、面接触による略等分布荷重となるため、上馳部９５の根本部９５ｂには、単位長さ当たりの荷重を小さくすることができる。
【００４８】
本発明では、前述した構成によって、折板屋根に強風又は台風等による負圧力Ｆｒがかかっても、折板屋根板９の上馳部９５には、係止突出部４から受ける反力Ｆｄによる変形或いは亀裂等が生じないようにすることができる。
【符号の説明】
【００４９】
Ａ…吊子本体、１…舌片部、１１…円弧状舌片、２…首部、３…台座部、
Ｂ…係止部材、４…係止突出部、５…立上り部、６…底板部。
【図１】
2014214428.tif 000003
【図２】
2014214428.tif 000004
【図３】
2014214428.tif 000005
【図４】
2014214428.tif 000006
【図５】
2014214428.tif 000007
【図６】
2014214428.tif 000008